(57)【要約】【課題】構造が簡単で、ＳＴＢ等に設置された固定出力端子６０への取付けあるいは取り外しも特殊構成の専用工具を使わなくても行なうことができるロックコネクタを提供する。【解決手段】同軸ケーブル１２端部の構成層間に挿入される挿入胴部２０を有するスリーブ３０と、スリーブ３０の挿入胴部２０に被嵌されて同軸ケーブル１２端部の外被１８を径方向に押圧する円筒型のクランプ３２と、一端面に開口するすり割りが設けられたすり割り胴部３６を有し、スリーブ３０及びクランプ３２を一体に包覆保持する円筒型のシェル３４と、シェル３４のすり割り胴部３６の内周面に沿って湾曲して配設される板ばね３８と、シェル３４のすり割り胴部３６に圧入被嵌される円筒型のロッキングカラー４０とを備えている。【選択図】図１
0003152597.tif 000002
【実用新案登録請求の範囲】
【請求項１】
同軸ケーブル端部の構成層間に挿入される挿入胴部を有するスリーブと、
前記スリーブの挿入胴部に被嵌されて前記同軸ケーブル端部の外被を径方向に押圧する円筒型のクランプと、
一端面に開口するすり割りが設けられたすり割り胴部を有し、前記スリーブ及び前記クランプを一体に包覆保持する円筒型のシェルと、
前記シェルのすり割り胴部の内周面に沿って湾曲して配設される板ばねと、
前記シェルのすり割り胴部上に、前記シェルのすり割り胴部を縮径させて嵌合される円筒型のロッキングカラーとを備え、
前記シェルのすり割り胴部の外周面と前記ロッキングカラーの内周面とに、前記ロッキングカラーが前記シェルのすり割り胴部上に嵌入したとき、互いに嵌り合う凹凸面をそれぞれ設けたことを特徴とする同軸ケーブルロックコネクタ。
【請求項２】
請求項１に記載の同軸ケーブルロックコネクタにおいて、
前記板ばねは、多数のスロットを長さ方向に沿って間隔を置いて設けた帯状ばね本体をＣ字状に湾曲したものであって、さらに前記帯状ばね本体の中央部に、径方向の内方に向かってくびれる凹面を周囲に沿って成形してなるものであることを特徴とする同軸ケーブルロックコネクタ。
【請求項３】
請求項１又は２に記載の同軸ケーブルロックコネクタにおいて、
前記シェルのすり割り胴部の外周面の一部に、前記シェルのすり割り胴部の先端側に向かって拡径するテーパ面を設けたことを特徴とする同軸ケーブルロックコネクタ。
【請求項４】
請求項１乃至３のいずれかに記載の同軸ケーブルロックコネクタにおいて、
前記ロッキングカラーは、プラスチックにより円筒型に成形されたものであることを特徴とする同軸ケーブルロックコネクタ。
【請求項５】
請求項１乃至４のいずれかに記載の同軸ケーブルロックコネクタにおいて、
前記シェルの外周面に、前記ロッキングカラーが前記シェルのすり割り胴部上の所定位置に嵌入したことを示す周溝を設けたことを特徴とする同軸ケーブルロックコネクタ。
【考案の詳細な説明】
【技術分野】
【０００１】
本考案は、同軸ケーブルを機器の固定出力端子に接続した後に同軸ケーブルが固定出力端子から不正に取り外されないように構成された同軸ケーブルロックコネクタに関する。
【背景技術】
【０００２】
例えば、ケーブルテレビ加入者がケーブルテレビ局に無断でセットトップボックス（ＳＥＴ−ＴＯＰ  ＢＯＸ、以下、「ＳＴＢ」という。）の固定出力端子から同軸ケーブル側のコネクタを取り外し、分配器を増設して複数の受像機を増設し視聴（盗聴）することがある。原則として、加入料金は正規に接続された受像機毎に加算されるので、加入者が無断で増設した受像機分の料金はケーブルテレビ局の料金収入にならない。このような不都合を防止するために、コネクタを取り外した場合にはＳＴＢの固定出力端子に再取付けができないコネクタを開発する必要がある。
【０００３】
従来、この種のロックコネクタとしてＳＴＢ等の機器に設置された固定出力端子のねじ部にねじ込まれるナット状のコネクタ端子と、このコネクタ端子の外面を包覆する円筒体とを備え、上記コネクタ端子を、円筒体内に挿入できるように構成された特殊な専用工具を用いて回転することにより、固定出力端子のねじ部から取り外せるように構成されたコネクタが知られている（特許文献１〜３参照）。
【先行技術文献】
【特許文献】
【０００４】
【特許文献１】特開平９−２４５８８９号公報
【特許文献２】特許第３３６４４５１号公報
【特許文献３】特開２００１−８５１０７号公報
【考案の概要】
【考案が解決しようとする課題】
【０００５】
しかし、従来の同軸ケーブルロックコネクタは、構造が煩雑で製造コストが高く、ＳＴＢ等に設置された固定出力端子に取付ける場合には固定出力端子のねじ部にねじ込むための手間が掛かり、また、取り外す場合には特殊構成の専用工具を必要とするという課題がある。
【０００６】
本考案は、上記の課題を解決するためになされたもので、構造が簡単で、ＳＴＢ等に設置された固定出力端子への取付けあるいは取り外しも特殊構成の専用工具を使わなくても行なうことができる同軸ケーブルロックコネクタを提供することを目的とする。
【課題を解決するための手段】
【０００７】
以下の構成はそれぞれ上記の課題を解決するための手段である。
〈構成１〉
同軸ケーブル端部の絶縁体と外部導体との間に挿入される挿入胴部を有するスリーブと、前記スリーブの挿入胴部に被嵌されて前記同軸ケーブル端部の外被を径方向に押圧する円筒型のクランプと、一端面に開口するすり割りが設けられたすり割り胴部を有し、前記スリーブ及び前記クランプを一体に包覆保持する円筒型のシェルと、前記シェルのすり割り胴部の内周面に沿って湾曲して配設される板ばねと、前記シェルのすり割り胴部上に、前記シェルのすり割り胴部を縮径させて嵌合される円筒型のロッキングカラーとを備え、前記シェルのすり割り胴部の外周面と前記ロッキングカラーの内周面とに、前記ロッキングカラーが前記シェルのすり割り胴部上に嵌入したとき、互いに嵌り合う凹凸面をそれぞれ設けたことを特徴とする同軸ケーブルロックコネクタ。
【０００８】
〈構成２〉
構成１に記載の同軸ケーブルロックコネクタにおいて、前記板ばねは、多数のスロットを長さ方向に沿って間隔を置いて設けた帯状ばね本体をＣ字状に湾曲したものであって、さらに前記帯状ばね本体の中央部に、径方向の内方に向かってくびれる凹面を周囲に沿って成形してなるものであることを特徴とする同軸ケーブルロックコネクタ。
【０００９】
〈構成３〉
構成１又は２に記載の同軸ケーブルロックコネクタにおいて、前記シェルのすり割り胴部の外周面の一部に、前記シェルのすり割り胴部の先端側に向かって拡径するテーパ面を設けたことを特徴とする同軸ケーブルロックコネクタ。
【００１０】
〈構成４〉
構成１乃至３のいずれかに記載の同軸ケーブルロックコネクタにおいて、前記ロッキングカラーは、プラスチックにより円筒型に成形されたものであることを特徴とする同軸ケーブルロックコネクタ。
【００１１】
〈構成５〉
構成１又は４に記載の同軸ケーブルロックコネクタにおいて、前記シェルの外周面に、前記ロッキングカラーが前記シェルのすり割り胴部上の所定位置に嵌入したことを示す周溝を設けたことを特徴とする同軸ケーブルロックコネクタ。
【考案の効果】
【００１２】
〈構成１の効果〉
シェルに、径方向に伸縮するすり割り胴部を有するので、ＳＴＢ等に設置された固定出力端子に取り付ける際に同固定出力端子のねじ部にねじ込まないで押し込むだけで取付けることができる。しかも、シェルのすり割り胴部の外周面とロッキングカラーの内周面とに、互いに嵌り合う凹凸面をそれぞれ設けたことにより、シェルのすり割り胴部の外周面にロッキングカラーを圧入するだけでロックコネクタを容易に固定できる。また、ロックコネクタを取外す際にも特殊構成の専用工具を使わなくても取外し作業を行なうことができる。また、全体構造が簡単であり製造コストを抑えることができる。
【００１３】
〈構成２の効果〉
機器の固定出力端子に接続したときに、板ばねの凹面のスロットに固定出力端子のねじ部が食い込む形となり堅固に接合させると共に電気的接合を良好にする効果を奏する。板ばねは各部の経年劣化が生じてもロックコネクタと固定出力端子との接触状態を維持させ長期間に亘って良好な電気的接合状態も維持させる。
【００１４】
〈構成３の効果〉
ロッキングカラーを、シェルのすり割り胴部上に圧入するときにテーパ面を経てシェル外周の凹凸面に嵌り込むまでスムーズに移動してシェルにしっかり固定することができる。
【００１５】
〈構成４の効果〉
ロッキングカラーをプラスチックで成形することにより、ロックコネクタを正規に取外すときに特殊工具を使わなくとも通常のカッタを用いて簡単に縦割りに切断できるので、取外し作業が容易である。
【００１６】
〈構成５の効果〉
ロッキングカラーがシェルの外周面の所定位置に確実に取り付けられたかどうかをシェルの外周上の周溝により視覚で確認できる。
【図面の簡単な説明】
【００１７】
【図１】（ａ）は実施例１のロックコネクタを示す片側断面図、（ｂ）は端末処理された同軸ケーブル１２の端部を示す片側断面図である。
【図２】同ロックコネクタのスリーブを示す片側断面図である。
【図３】同ロックコネクタのクランプを示す片側断面図である。
【図４】同ロックコネクタのシェルを示す図で、（ａ）は片側断面図、（ｂ）は右側面図である。
【図５】同ロックコネクタの板ばねを示す図で、（ａ）は展開図、（ｂ）は湾曲した状態を示す正面図、（ｃ）はその右側から見た状態を示す片側断面図である。
【図６】同ロックコネクタのロッキングカラーを示す片側断面図である。
【図７】同ロックコネクタを同軸ケーブルに装着した状態を示す片側断面図である。
【図８】同ロックコネクタをＳＴＢ等に設置された固定出力端子６０に取り付けた状態を示す片側断面図である。
【考案を実施するための形態】
【００１８】
以下、本考案の実施の形態を実施例に基づいて説明する。
【実施例１】
【００１９】
図１（ａ）は実施例１の同軸ケーブルロックコネクタ（以下、単にロックコネクタという。）１０を示す片側断面図、図１（ｂ）は端末処理された同軸ケーブル１２の端部の構成層を示す片側断面図である。図２乃至図６はそれぞれロックコネクタ１０の各構成部品を示す説明図である。
【００２０】
コネクタ１０は、図１（ｂ）に示す同軸ケーブル端部の構成層間、たとえば、外部導体１６の導体箔１６ａと導体編組１６ｂとの間に挿入される挿入胴部２０を有するスリーブ３０と、スリーブ３０の挿入胴部２０に被嵌されて同軸ケーブル端部のシース１８を径方向に押圧する円筒型のクランプ３２と、スリーブ３０及びクランプ３２を一体に包覆保持する円筒型のシェル３４と、シェル３４のすり割り胴部３６の内周面に沿って湾曲して配設される板ばね３８と、シェル３４のすり割り胴部３６に圧入被嵌される円筒型のロッキングカラー４０とを備えている。
【００２１】
コネクタ１０は、図中左側から、図１（ｂ）に示すように各構成層が段剥された同軸ケーブル１２の端部を受け入れるように構成されている。同軸ケーブル１２は、例えば、銅単線の中心導体１３の外周に、発泡ポリエチレンの絶縁体１４、アルミ箔等の導体箔１６ａと軟銅線等の導体編組１６ｂからなる外部導体１６、ＰＶＣのシース１８を順次被覆した周知の各構成層からなる。
【００２２】
同軸ケーブル１２は、予め、正確に採寸して、中心導体１３と外部導体１６と絶縁体１４に接着されている導体箔１６ａとを所定長段剥し、さらに外部導体端部の導体編組１６ｂをシース１８上に折り返すことにより絶縁体１４も段剥して端末処理されている。
【００２３】
スリーブ３０は、図２に示されるように、挿入胴部２０の外周面に段部２２が設けられ、他方端部の周囲にはフランジ状の突出部２３が設けられている。スリーブ３０の挿入胴部２０に被嵌されるクランプ３２は、図３に示されるように、一方端側の外周面に突出部２４が設けられ、他方端側の外周面に周溝２５が設けられている。
【００２４】
シェル３４は、図４に示されるように、一端面に開口するすり割り３５が複数箇所に設けられたすり割り胴部３６を有している。すり割り胴部３６は複数のすり割り３５により径方向に伸縮可能とされている。すり割り胴部３６の外周面に、突起２６および突出部２７とその間に周溝５６と同すり割り胴部３６の先端側の突起２６に向かって拡径するテーパ面５４とがそれぞれ設けられている。
【００２５】
シェル３４の内周面の中央部と端部側に突出部２８、２９がそれぞれ設けられている。シェル３４の外周面の中央部に周溝３７が設けられている。周溝３７は半円形に窪んでいる。周溝３７は、図８に示すように、ロッキングカラー４０がシェルのすり割り胴部上の所定位置に嵌入されたことを示すものである。シェルのすり割り胴部３６の端部側内周面にねじ溝５８が設けられている。
【００２６】
板ばね３８は、図５（ａ）に示されるように帯状ばね本体４４に、幅方向に伸びる、多数のスロット４６を長さ方向に沿って適当間隔を置いて設けたものを、図５（ｂ）に示されるようにＣ字状に湾曲したもので、さらに、図５（ｃ）に示されるように湾曲された帯状ばね本体４４の中央部に、径方向の内方に向かってくびれる凹面４８を周囲に沿って成形してなるものである。
【００２７】
ロッキングカラー４０は、図６に示されるように、プラスチックにより円筒型に成形されたものである。ロッキングカラー４０の内周面には突出部４１が設けられている。この突出部４１は、シェル３４のすり割り胴部の周溝５６に合致する形状とされている。
【００２８】
ロッキングカラー４０は、出荷時にはシェル３４の中間部に嵌置される。図１（ａ）に示すように、クランプ３２やシェル３４から離脱した状態にしておくと、ロッキングカラー４０が運搬時や接続現場等において紛失、脱落するおそれがあるからである。これを防止できる。
【００２９】
突出部４１と周溝５６とは、ロッキングカラー４０がシェル３４のすり割り胴部３６上に嵌入したとき、互いに嵌り合う凹凸面となる。ロッキングカラー４０を両端のいずれからもシェル３４のすり割り胴部に挿入しても突出部４１が周溝５６に嵌り合うように、突出部４１は図６中の左右対称の位置に設けられている。
【００３０】
図７はロックコネクタ１０を同軸ケーブル１２に装着した状態を示す片側断面図、図８はロックコネクタ１０を、ＳＴＢ等に設置された固定出力端子６０に取り付けた状態を示す片側断面図である。
【００３１】
シェル３４のすり割り胴部３６の内周面に板ばね３８が図５（ｂ）に示すように湾曲して配設され、シェル３４の突出部２９がクランプ３２の周溝２５に係止され、スリーブ３０の突出部２３がシェル３４の突出部２８に係止されて板ばね３８、クランプ３２、シェル３４、スリーブ３０が一体にされている。
【００３２】
そして、図１（ｂ）に示すように端末処理した、同軸ケーブル１２の端部を、図７に示すようにクランプ３２、シェル３４、スリーブ３０内に挿入する。このとき、スリーブ３０の挿入胴部２０は、同軸ケーブル端部の外部導体１６ａと１６ｂとの間に挿入される。
【００３３】
次に、専用の工具（図示せず）を使ってクランプ３２をシェル３４内に圧入する。こうして、同軸ケーブル１２の外部導体１６ｂとシース１８がスリーブ３０とクランプ３２とに挟圧されて固定される。これでロックコネクタ１０と同軸ケーブル１２との装着が終了する。なお、ロックコネクタ１０と同軸ケーブル１２との装着は、ロッキングカラー４０をシェル３４の中間部に嵌置した状態で行なってもよいが、一旦、図７に示すように同軸ケーブル１２上に移動させてクランプ３２、シェル３４から離脱させた状態で行なってもよい。
【００３４】
本考案では、クランプ３２をシェル３４内に圧入するだけでほとんどワンタッチで同軸ケーブル１２との装着作業を完了する。
【００３５】
このように構成されたロックコネクタ１０に対しては、例えば、図７に示すような機器の固定出力端子６０が接続される。固定出力端子６０は、周知構造のもので、ねじ部６２を有している。図８に示すように、シェル３４のすり割り胴部３６を固定出力端子６０のねじ部６２に嵌合圧入させてから、ロッキングカラー４０をシェル３４のすり割り胴部３６上に移動させることにより接続作業が終了する。
【００３６】
このとき、シェルのすり割り胴部３６のねじ溝５８と固定出力端子６０のねじ部６２とがかみ合ってシェル３４と固定出力端子６０とがしっかり固定され、軸方向の引張強度を堅固なものにする。また、ロッキングカラー４０がシェル３４のすり割り胴部３６上の所定位置（最終位置）に確実に移動したかどうかを周溝３７を見て確認する。
【００３７】
ロッキングカラー４０は、シェル３４のすり割り胴部３６に圧入するときには、すり割り胴部３６をばね作用で縮径しながらテーパ面５４を通過することによりスムーズに移動できるが、反対方向には突出部４１がシェル３４の周溝５６に係止されることにより抜ける方向への移動が阻止されるので、しっかりシェル３４に固定される。
【００３８】
こうしてロックコネクタ１０が固定出力端子６０に固定されるが、固定出力端子６０のねじ部６２が板ばね３８の凹面４８のスロット４６に食い込む形となり、堅固に接合させると共に、ロックコネクタ１０の回転方向の動きを制止し、回転させることによる取外しを防止し、さらに電気的接合を良好にする効果を奏する。板ばね３８は各部の経年劣化が生じてもロックコネクタ１０と固定出力端子６０との接触状態を維持させ長期間に亘って良好な電気的接合状態も維持させるという効果をもたらす。
【００３９】
なお、ロックコネクタ１０を正規に取外す場合には、通常のカッタを用いてロッキングカラー４０を縦割りに切断して除去すればよい。ロッキングカラー４０をプラスチックで成形することにより、ロックコネクタ１０を正規に取外すときに特殊工具を使わなくとも通常のカッタを用いて簡単に切断できるので、取外し作業が容易である。
【符号の説明】
【００４０】
１０  ロックコネクタ
１２  同軸ケーブル
１３  中心導体
１４  絶縁体
１６  外部導体
１８  シース
２０  挿入胴部
２２  段部
２３  突出部
２４  突出部
２５  周溝
２６  突起
２７  突出部
２８  突出部
２９  突出部
３０  スリーブ
３２  クランプ
３４  シェル
３５  すり割り
３６  すり割り胴部
３７  周溝
３８  板ばね
４０  ロッキングカラー
４１  突出部
４４  帯状ばね本体
４６  スロット
４８  凹面
５４  テーパ面
５６  周溝
５８  ねじ溝
６０  固定出力端子
６２  ねじ部
【図１】
0003152597.tif 000003
【図２】
0003152597.tif 000004
【図３】
0003152597.tif 000005
【図４】
0003152597.tif 000006
【図５】
0003152597.tif 000007
【図６】
0003152597.tif 000008
【図７】
0003152597.tif 000009
【図８】
0003152597.tif 000010